(57)【特許請求の範囲】
【請求項１】
第１テープ幅を有する第１磁気テープに適用されるデジタル記録フォーマットに対応した記録データを、前記第１テープ幅よりも広い第２テープ幅を有する第２磁気テープに形成される１つのトラックに対して、前記デジタル記録フォーマットにおける少なくとも２トラック分連続して記録し、前記記録データを前記第２磁気テープから再生するための磁気記録再生装置であり、
固定ドラムと、
前記固定ドラムに対してデジタル記録を行う際の第１の回転数及びアナログ記録を行う際の第２回転数で回転する回転ドラムと、を備え、
前記回転ドラムは、前記記録データを、前記第２磁気テープに記録し、前記記録データを前記第２磁気テープから再生するための磁気ヘッドを有し、
前記回転ドラムの外周面には、０．２１ｍｍ±０．０２ｍｍの幅を有する溝が、前記回転ドラムの回転方向に沿って複数本形成されており、
前記磁気ヘッドを前記回転ドラムの外周面から突き出すための突き出し量が、２０μｍ±３μｍである、ことを特徴とする磁気記録再生装置。
【請求項２】
前記第１テープ幅は６．３５ｍｍであり、前記第２テープ幅は８ｍｍであり、
前記デジタル記録フォーマットに対応した前記記録データを前記第２磁気テープにデジタル記録する際の前記第１回転数は４５００ｒｐｍであり、
前記記録データを前記第２の磁気テープにアナログ記録を行う際の前記第２回転数は１８００ｒｐｍである、
請求項１に記載の磁気記録再生装置。
【発明の詳細な説明】
【０００１】
【発明の属する技術分野】
本発明は、磁気テープに対してデジタル信号の記録又は再生をするデジタル信号の磁気記録再生装置に関するものである。
【０００２】
【従来の技術】
近年、デジタルのビデオ信号及びデジタルのオーディオ信号を磁気テープに記録する家庭用のカメラ一体型デジタルビデオテープレコーダや家庭用の据え置き型のデジタルビデオテープレコーダが登場している。
【０００３】
このようなデジタルビデオテープレコーダの記録方式として、いわゆるＤＶ方式と呼ばれるフォーマットがある（ＩＥＣ  ６１８３４  ｈｅｌｉｃａｌ  ｓｃａｎ  ｄｉｇｉｔａｌ  ｖｉｄｅｏ  ｔａｐｅ  ｃａｓｓｅｔｔｅ  ｒｅｃｏｒｄｉｎｇ  ｓｙｓｔｅｍ  ｕｓｉｎｇ  ６．３５ｍｍ  ｍａｇｎｅｔｉｃ  ｔａｐｅ  ｆｏｒ  ｃｏｎｓｕｍｅｒｓ（５２５／６０，６２５／５０，１１２５／６０ａｎｄ１２５０／５０ｓｙｓｔｅｍｓ）。このＤＶ方式では、使用するビデオテープのテープ幅が６．３５ｍｍ（＝１／４インチ）となっており、従来のアナログビデオテープレコーダの記録方式（例えば８ｍｍ方式：ＩＥＣ  ６０８４３  ｈｅｌｉｃａｌ  ｓｃａｎ  ｖｉｄｅｏ  ｔａｐｅ  ｃａｓｓｅｔｔｅ  ｒｅｃｏｒｄｉｎｇ  ｓｙｓｔｅｍ  ｕｓｉｎｇ  ８ｍｍ  ｍａｇｎｅｔｉｃ  ｔａｐｅ  ｆｏｒ  ｃｏｎｓｕｍｅｒｓ）で使用するビデオテープのテープ幅より狭くなっている。これにも関わらず、ＤＶ方式では、記録する信号を圧縮するとともに記録密度を上げているので、従来の方式よりも高い画質で長時間の記録が可能となっている。
【０００４】
ところで、上記ＤＶ方式と従来のアナログビデオテープレコーダの記録方式（例えば８ｍｍ方式）との間で互換性は無いが、例えば、この従来のアナログ記録方式で使用するテープ幅の広いアナログ用ビデオテープに対して上記ＤＶ方式における信号を記録できれば、高品質の信号をより長時間に渡って記録することが可能になる。また、このように、従来の記録方式で使用するビデオテープに対してＤＶ方式の信号の記録再生が可能になれば、この従来の記録方式で使用するビデオテープの生産設備や部品等の資源を有効に利用できることにもなる。
【０００５】
ところで、例えば８ｍｍ方式のアナログビデオテープレコーダのフォーマット磁気記録装置は、回転ドラム装置を備えており、この回転ドラム装置は、回転ドラム（上ドラムとも呼ぶ）と、固定ドラム（下ドラムとも呼ぶ）を備えている。この回転ドラムの回転数は、例えば１８００ｒｐｍである。回転ドラムには回転方向に溝が形成されている。この種の磁気記録装置のＲＦ出力波形確保は重要な項目であり、回転ドラムを回転することにより磁気ヘッドを用いて磁気テープに対して信号の記録／再生を行う時に、回転ドラムの回転により発生するエアーフィルム量がＲＦ出力波形の良否に大きく影響することが知られている。このために、上述したように回転ドラムには回転方向に溝が設けられており、このような発生するエアーフィルム量を制限している。
【０００６】
【発明が解決しようとする課題】
ところが、８ｍｍのフォーマットの磁気記録装置の回転ドラムが、そのままＤＶ信号記録を行うためには、そのドラム回転数を例えば４５００ｒｐｍに変えて記録／再生しようとすると、必然的にエアーフィルム量が大きくなってしまい、適度なＲＦ出力波形が得られなくなってしまう。
そこで本発明は上記課題を解消し、いわゆるＤＶ方式であってもアナログビデオテープレコーダの方式であってもＲＦ出力波形を得て、テープ走行を安定させることができる磁気記録再生装置を提供することを目的としている。
【０００７】
【課題を解決するための手段】
上記課題を解決するために、本発明の磁気記録再生装置は、第１テープ幅を有する第１磁気テープに適用されるデジタル記録フォーマットに対応した記録データを、第１テープ幅よりも広い第２テープ幅を有する第２磁気テープに形成される１つのトラックに対して、デジタル記録フォーマットにおける少なくとも２トラック分連続して記録し、前記記録データを前記第２磁気テープから再生するための磁気記録再生装置であり、固定ドラムと、この固定ドラムに対してデジタル記録を行う際の第１の回転数及びアナログ記録を行う際の第２回転数で回転する回転ドラムと、を備え、該回転ドラムは、記録データを第２磁気テープに記録するとともに、記録データを第２磁気テープから再生するための磁気ヘッドを有している。
また、回転ドラムの外周面には、０．２１ｍｍ±０．０２ｍｍの幅を有する溝が、回転ドラムの回転方向に沿って複数本形成されており、磁気ヘッドを回転ドラムの外周面から突き出すための突き出し量が、２０μｍ±３μｍである、ことを特徴としている。
【０００８】
また、本発明の磁気記録再生装置では、回転ドラムの外周面には、０．２１ｍｍ±０．０２ｍｍの幅を有する溝が複数本回転ドラムの回転方向に沿って形成されていることから、回転ドラムの回転数が比較的低い場合（例えば、アナログ記録再生）、比較的高い場合（例えば、デジタル記録再生）であっても適度なエアフィルム量に制限することで、ＲＦ出力波形が確保できるばかりでなく磁気テープの安定した走行が可能である。この場合、溝の幅が０．１９ｍｍよりも小さいと、デジタル記録フォーマットに対応した記録データを記録する際に、適度なエアフィルム量に制限することができなくなり、適当なＲＦ出力波形の確保が難しくなりテープの安定した走行ができなくなる。
しかも、使用環境が制限されてしまう（高温時）とともに、使用時間（ヘッドが摩耗）に差が出る。また、溝の幅が０．２３ｍｍよりも大きくなってしまうと、比較的低速回転のアナログ８ｍｍ方式の場合に適度なエアフィルム量を確保できず磁気テープが回転ドラムに密着しやすくＲＦ出力波形が確保できず磁気テープの安定した走行ができなくなる。しかもワウ・フラッターの悪化の要因となり、磁気テープに対して磁気ヘッドによるキズ（スキャンキズ）が付きやすくなる。
【０００９】
また、本発明の磁気記録再生装置においては、磁気ヘッドを回転ドラムの外周面から突き出すための突き出し量が、２０μｍ±３μｍとしている。本発明によれば、磁気ヘッドの突き出し量をこのように規定することにより、ＲＦ出力波形を確保しつつ、インパクトエラーを防ぎかつヘッド寿命の長寿命化を図ることができる。もし、磁気ヘッドの突き出し量が１７μｍよりも小さいと、ＲＦ出力波形の確保がしにくく、突き出し量が２３μｍよりも大きいと、ＲＦ出力波形は確保できるがインパクトエラーが生じたり、ヘッド寿命が短くなったりするという不利がある。
【００１０】
また、本発明の好ましい形態として、１テープ幅は６．３５ｍｍとされ、第２テープ幅は８ｍｍとされる。そして、デジタル記録フォーマットに対応した記録データを第２磁気テープにデジタル記録する際の第１回転数は４５００ｒｐｍであり、記録データを第２の磁気テープにアナログ記録を行う際の第２回転数は１８００ｒｐｍとしている。
【００１１】
請求項４の発明は、請求項２に記載の磁気記録装置において、前記溝は３本形成されている。
【００１２】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１３】
まず、本発明の実施の形態として、ビデオデータ及びオーディオデータ等をテープ状のデータ記録媒体である磁気テープに記録する記録方式について説明する。この記録方式は、テープ幅が８ｍｍの磁気テープに対していわゆるＤＶ方式のデジタル信号を記録する方式であり、ここでは、デジタル８ｍｍ方式と呼ぶものとする。なお、以下、本発明を適用した記録方式を説明するのにあたり、従来より知られている記録方式であるＤＶ方式（ＩＥＣ  ６１８３４）及び８ｍｍ方式（ＩＥＣ  ６０８４３）と比較しながら説明する。
【００１４】
図１は、ＤＶ方式のデジタル信号を、ＤＶ方式で用いるテープ幅６．３５ｍｍの磁気テープ（以下、この磁気テープをＤＶテープ（：第１テープ幅を有する第１磁気テープ）と呼ぶ。）に記録したときのトラックパターンを示す。
【００１５】
ＤＶ方式では、図１に示すように、テープ幅が６．３５ｍｍ（＝１／４インチ）のＤＶテープＴ１に対して、回転ドラム装置によりビデオ信号等が回転記録される。この回転ドラム装置の回転ドラムには、例えばアジマス角の異なる２つの磁気ヘッド４１，４３が１８０度対向した位置に設けられている。そのため、この２つの磁気ヘッド４１，４３がＤＶテープＴ１の走行方向に対して所定の角度を以て走査され、この図１に示すように、トラックパターンが形成される。ＤＶ方式では、一方の磁気ヘッドで記録されたトラックをオッドトラックＯ１，Ｏ３，Ｏ５，Ｏ７，Ｏ９とし、他方の磁気ヘッドで記録されたトラックをイーブントラックＥ２，Ｅ４，Ｅ６，Ｅ８，Ｅ１０としたとき、オッドトラック５本及びイーブントラック５本の全部で１０本のトラックに、ＮＴＳＣ方式（Ｎａｔｉｏｎａｌ  Ｔｅｌｅｖｉｓｉｏｎ  Ｓｙｓｔｅｍ  Ｃｏｍｍｉｔｔｅｅ）に対応したビデオ信号が１フレーム分記録される。また、ＰＡＬ方式（Ｐｈａｓｅ  Ａｌｔｅｒｎａｔｉｏｎ  ｂｙ  Ｌｉｎｅ）では、全部で１２本のトラックに１フレーム分のビデオ信号が記録される。
【００１６】
また、このＤＶ方式では、各トラックに記録するデータ全てに２４／２５変換が施される。記録するデータを２４／２５変換することにより、ＡＴＦ（Ａｕｔｏｍａｔｉｃ  Ｔｒａｃｋ  Ｆｉｎｄｉｎｇ（又はＦｏｌｌｏｗｉｎｇ))の為のパイロット信号がトラック全体に重畳される。そして、再生時においてこのパイロット信号を検出することにより、磁気ヘッドのトラッキングを取ることができる。この２４／２５変換では、２４ビット（３バイト）毎のデータに対してエキストラビット（１ビット）を挿入することにより、記録するデータのデータ列に３つの周波数の低域パイロット成分を重畳している。具体的には、記録するデータのランレングスを９以下にし、図２のスペクトラムを満たすような、周波数ｆ０，周波数ｆ１，周波数ｆ２のパイロット信号を各トラックに重畳する。そして、このＤＶ方式では、例えば、オッドトラックＯ１，Ｏ３，Ｏ５，Ｏ７，Ｏ９に周波数ｆ０のパイロット信号を重畳し、イーブントラックＥ２，Ｅ４，Ｅ６，Ｅ８，Ｅ１０に周波数ｆ１及び周波数ｆ２のパイロット信号を交互に重畳する。従って、全体としては各トラックに対して、・・・ｆ０，ｆ１，ｆ０，ｆ２，ｆ０，ｆ１，ｆ０，ｆ２・・・といった繰り返しとなるような各周波数のパイロット信号が記録される。このようなパイロット信号を記録することによって、周波数ｆ０が記録されたトラックを磁気ヘッドが走査するとき、隣接トラックから周波数ｆ１，ｆ２のパイロット成分をクロストーク信号として得ることができ、再生時において安定したトラッキングをかけることができる。
【００１７】
次に図３は、本発明を適用したデジタル８ｍｍ方式のデジタル信号の記録データを、テープ幅が８ｍｍの磁気テープ（以下、この磁気テープを８ｍｍテープ（：第２テープ幅を有する第２磁気テープ）と呼ぶ。）上に記録したときのトラックパターンを示す。
【００１８】
デジタル８ｍｍ方式では、図１のＤＶテープＴ１よりもテープ幅が広い８ｍｍテープＴ２（単に磁気テープとも呼ぶ）に対して、デジタルのビデオ信号等が回転記録される。この８ｍｍテープＴ２は、従来のアナログのビデオ信号を記録する８ｍｍ方式（ＩＥＣ６０８４３）で用いられていた磁気テープと同一である。回転記録をする為の回転ドラム装置４０の回転ドラム２００には、従来のアナログの８ｍｍ方式と同様に、アジマス角の異なる例えば２つの磁気ヘッド４１，４３が回転中心を挟んで１８０度対向した位置に設けられている。そのため、２つの磁気ヘッドが８ｍｍテープの走行方向に対して所定の角度を以て走査され、この図３に示すようなトラックパターンが形成される。
【００１９】
このデジタル８ｍｍ方式では、８ｍｍテープＴ２の１つのトラックに対して、ＤＶ方式における２トラック分のデータを、ＤＶ方式のデータパターンのまま、連続して記録する。すなわち、デジタル８ｍｍ方式では、ＤＶ方式におけるオッドトラックのデータとイーブントラックのデータとを組にして、データの内容は変えずに、１つのトラックに記録している。
【００２０】
例えば、デジタル８ｍｍ方式の８ｍｍテープＴ２では、ＤＶ方式におけるオッドトラックＯ１のデータとイーブントラックＥ２のデータを組にして、１つのトラックに記録する。次のトラックには、オッドトラックＯ３のデータとイーブントラックＥ４のデータを組にして記録する。さらに、オッドトラックＯ５とイーブントラックＥ６、オッドトラックＯ７とイーブントラックＥ８、オッドトラックＯ９とイーブントラックＥ１０、といったように続く８ｍｍテープＴ２上の各トラックに対して、ＤＶ方式におけるそれぞれ連続する２つのトラックのデータを組にして記録する。
【００２１】
従って、デジタル８ｍｍ方式では、８ｍｍテープＴ２の５本のトラックに、ＮＴＳＣに対応したビデオ信号が１フレーム分記録される。また、８ｍｍテープの６本のトラックにＰＡＬに対応したビデオ信号が１フレーム分記録される。
【００２２】
このデジタル８ｍｍ方式では、８ｍｍテープＴ２の１つのトラックに対して、ＤＶ方式における２トラック分のデータとともに拡張データが記録される。
【００２３】
デジタル８ｍｍ方式では、２４／２５変換を施すことにより、ＡＴＦの為の３つの周波数ｆ０，ｆ１，ｆ２のパイロット信号を各トラックに重畳している。すなわち、デジタル８ｍｍ方式における１トラック毎に、ＤＶ方式に対応させれば２トラック毎に、周波数が異なるパイロット信号を記録する。具体的には、ＤＶ方式におけるイーブントラックのデータとオッドトラックのデータの一組からなる１つのトラック毎に、・・・ｆ０，ｆ１，ｆ０，ｆ２，ｆ０，ｆ１，ｆ０，ｆ２・・・といった繰り返しとなる周波数のパイロット信号を記録する。このようにパイロット信号を記録することによって、周波数ｆ０が記録されたトラックを磁気ヘッドが走査するとき、隣接トラックから周波数ｆ１，ｆ２のパイロット成分をクロストーク信号として得ることができ、再生時において安定したトラッキングをかけることができる。なお、このパイロット信号は、拡張データにも記録する。拡張データに記録されるパイロット信号は、そのトラックに記録されるＤＶ方式における２トラック分のデータと同一の周波数とする。
【００２４】
図４は、デジタル８ｍｍ方式における回転ドラム２００への８ｍｍテープＴ２のテープ巻付角を示している。
【００２５】
図４に示すように、デジタル８ｍｍ方式では、２０６°の範囲で８ｍｍテープＴ２が回転ドラム２００に巻き付けられる。１つの磁気ヘッドがこの２０６度の巻付角の範囲内を移動したときに記録される信号が、８ｍｍテープＴ２上における１トラックを構成する。なお、この８ｍｍテープＴ２の巻付角は、従来のアナログの８ｍｍ方式と同様に、２１１°とし、その内の２０６°の範囲に信号を記録するようにしても良い。
【００２６】
図５は、デジタル８ｍｍ方式における１トラック内の有効ラップ角の一例を示す。また、図６は、デジタル８ｍｍ方式における８ｍｍテープＴ２上のトラックパターンを示す。
【００２７】
デジタル８ｍｍ方式では、その有効ラップ角が、図５及び図６に示すように、例えば１７７°となっている。この有効ラップ角内には、２つのサブトラック（ＳｕｂＴｒ＃０，ＳｕｂＴｒ＃１）が設けられている。各サブトラックは、巻付角が８７°の範囲で構成され、ＤＶ方式における１トラック分のデータが、ＤＶ方式のデータフォーマットのまま記録される。この有効ラップ角内には、上述したオッドトラック及びイーブントラックのデータがそのまま１トラック分ずつ連続して記録される。また、有効ラップ角内には、２つのサブトラック（ＳｕｂＴｒ＃０，ＳｕｂＴｒ＃１）の間に、３°のギャップ（ＩＴＧ：Ｉｎｔｅｒ  Ｔｒａｃｋ  Ｇａｐ）が設けられている。
【００２８】
デジタル８ｍｍ方式では、有効ラップ角の前段に、すなわち、トラックのヘッド突入口（入口側）側に、拡張エリアが設けられている。この拡張エリアの巻付角は、２６°となっている。従って、１トラックの巻付角は、拡張エリアの巻付角２６°と、有効ラップ角の１７７°とを併せて、全体で２０６°となる。
【００２９】
また、このデジタル８ｍｍ方式では、回転ドラムの回転位相に同期して発生するスイッチングパルスＳＷＰにより、回転ドラムに設けられた２つの磁気ヘッドが切り換えられる。一方の磁気ヘッド（例えばＡｃｈ）による有効ラップ角内のデータの記録が終了した時点で、スイッチングパルスＳＷＰが切り換えられ、他方の磁気ヘッド（例えばＢｃｈ）の有効ラップ角内のデータの記録が開始する。このスイッチングパルスＳＷＰは、回転ドラムが１８０°回転する毎に切り換えられる。
【００３０】
拡張エリア部分のデータは、例えば後述する拡張用トラック同期情報（Ｅｘ−ＩＴＩ）又は前のトラックのトラック同期情報（ＩＴＩ）により同期が取られ、スイッチングパルスＳＷＰが切り換えられる前から記録が開始される。
【００３１】
このように本発明を適用した磁気テープに対する記録方式では、図３の８ｍｍテープＴ２に対して、ＤＶ方式の２本分のデータをそのままのデータパターンでトラック１本分に連続して記録するようにしているので、テープ面積を有効に使うことができて、より長時間分の記録が可能になっている。言い換えると、同じ時間分の記録を行うのであれば、８ｍｍテープＴ２にＤＶテープＴ１のトラックパターンを１本ずつ記録する場合に比べて、必要なテープ長さを短くすることができ、テープコンサンプションを改善することができる。
【００３２】
もちろん、この記録方式は一例であり、ＤＶ方式のトラック３本分や４本、さらにそれ以上をトラック１本に連続して記録することが可能である。これにより、さらに長時間分の記録が可能になり、逆に、同じ時間分の記録を行うのであれば、必要とされるテープの長さをさらに短くすることが可能となる。
【００３３】
また、この記録方式を用いれば、磁気記録再生装置は、ドラムの回転数を８ｍｍテープのアナログ記録時のたとえば１８００ｒｐｍから４５００ｒｐｍに変更すれば、従来のアナログの８ｍｍビデオテープレコーダのメカデッキ部分をそのまま使用でき、８ｍｍテープＴ２に対して上述したトラックパターンを形成することが可能となる。
【００３４】
なお、キャプスタンのスピード（すなわちテープ送り速度）は、トラックピッチを決定するだけであり、必要なトラックピッチはテープ、ヘッドの特性により、または互換性の有無により決定される項目であり、必要に応じて決めればよい。
【００３５】
次に、有効ラップ角内に記録されるデータのデータフォーマット及び拡張エリア内に記録されるデータのデータフォーマットについて更に詳細に説明する。なお、有効ラップ角内の領域を、拡張エリアに対して通常エリアと呼ぶものとする。
【００３６】
拡張エリアを設けることによって、デジタル８ｍｍ方式では、通常エリアに記録されたデータに上書きすることなく、オーディオデータや画像データのアフターレコーディングをすることができる。特に、十分なギャップと、この拡張エリアのデータの為のトラック同期情報を持つことにより、確実なアフターレコーディングが可能となる。
【００３７】
次に、以上説明したデジタル８ｍｍ方式を用いてビデオデータ及びオーディオデータを記録する磁気記録再生装置について説明する。
【００３８】
図７に、本発明の実施の形態の磁気記録再生装置の概略構成を示す。
【００３９】
本発明の実施の形態の磁気記録再生装置１０は、いわゆるカメラ一体型のビデオテープレコーダであり、上記デジタル８ｍｍ方式で構成されたビデオデータやオーディオデータを図３の８ｍｍテープＴ２に記録し、また、この８ｍｍテープＴ２からこのビデオデータ等を再生する装置である。
【００４０】
図７の磁気記録再生装置１０は、被写体を撮像してアナログビデオ信号を出力する撮像部１１と、撮像部１１により生成されたアナログビデオ信号をＤＶデータに変換し、また、８ｍｍテープＴ２から読み出したＤＶデータをアナログビデオ信号に変換するＤＶデータ処理部１２と、８ｍｍテープＴ２の拡張エリアに記録する拡張データを生成し、また８ｍｍテープＴ２の拡張エリアから読み出した拡張データのデータ処理をする拡張データ処理部１３、８ｍｍテープＴ２に対してデータの書き込み及び読み出しをする書込／読出部１４と、各部の制御をするメインコントローラ１５とを備えている。
磁気記録再生装置１０は、アナログビデオ信号が出力されるビデオ出力端子１６と、オーディオ信号が入出力されるオーディオ入出力端子１７と、オーディオ入出力端子１７から入力されたオーディオ信号をＤＶデータ処理部１２又は拡張データ処理部１３のいずれかに切り換えて供給し、ＤＶデータ処理部１２又は拡張データ処理部１３のいずれかから出力されたオーディオ信号を切り換えてオーディオ入出力端子から出力するスイッチ１８とを備えている。
【００４１】
図７の撮像部１１は、例えば、レンズ等の光学系と、ＣＣＤと、信号処理回路等の電気系とから構成される。この撮像部１１は、アナログのビデオ信号（輝度信号、赤色差信号、青色差信号）を生成し、このアナログのビデオ信号をＤＶデータ処理部１２に送る。
【００４２】
図７のＤＶデータ処理部１２には、記録時において、撮像部１１から送られたアナログのビデオ信号、オーディオ入出力端子１７を介して外部から供給されたアナログのオーディオ信号、及び、メインコントローラから送られた付加情報が入力される。ＤＶデータ処理部１２は、記録時において、これらの信号及び情報を、ＤＶ方式に対応したデータフォーマットに変換し、ＤＶ方式における１トラック分のデータ（つまり、サブトラック（ＳｕｂＴｒ＃０又は＃１）に書き込むデータ）毎に書込／読出部１４に送る。
また、ＤＶデータ処理部１２は、再生時において、８ｍｍテープＴ２の通常エリア（つまり、有効ラップ角内）から読み出したＤＶデータが、書込／読出部１４から送られる。ＤＶデータ処理部１２は、再生時において、このＤＶデータから、ビデオデータ、オーディオデータ、及び付加情報を分割する。ＤＶデータ処理部１２は、分割したビデオデータをアナログのビデオ信号に変換し、このアナログのビデオ信号をビデオ出力端子１６を介して外部に出力する。また、ＤＶデータ処理部１２は、分割したオーディオデータをアナログのオーディオ信号に変化し、このアナログのオーディオ信号をオーディオ入出力端子１７を介して出力する。また、ＤＶデータ処理部１２は、分割した付加情報を、メインコントローラ１５に送る。
【００４３】
図７の拡張データ処理部１３には、記録時や音声のアフターレコーディング時において、オーディオ入出力端子１７を介して外部から供給されたオーディオ信号、及びメインコントローラから送られる付加情報が入力される。拡張データ処理部１３は、これらの信号及び情報を、拡張エリアに記録するためのデータフォーマットに変換し、この拡張エリアに記録するための拡張データとして書込／読出部１４に送る。また、拡張データ処理部１３には、再生時において、８ｍｍテープＴ２の拡張エリアから読み出した拡張データが、書込／読出部１４から送られる。拡張データ処理部１３は、この拡張データから、オーディオデータ、及び付加情報を分割する。拡張データ処理部１３は、分割したオーディオデータをアナログのオーディオ信号に変化し、このアナログのオーディオ信号をオーディオ入出力端子１７を介して出力する。また、拡張データ処理部１３は、分割した付加情報を、メインコントローラ１５に送る。
【００４４】
なお、この拡張データ処理部１３は、記録する拡張データに２４／２５変換をして、パイロット信号を記録している。このパイロット信号は、そのトラックに記録されるＤＶデータに記録されたパイロット信号と同一の周波数となる。
【００４５】
図７のスイッチ１８は、記録時において通常エリア内のオーディオ領域にオーディオ信号を記録する場合には、ＤＶデータ処理部１２側に端子を切り換えてオーディオ信号をこのＤＶデータ処理部１２に供給する。また、スイッチ１８は、記録時やアフターレコーディング時に拡張エリア内の拡張データ領域にオーディオデータを記録する場合には、拡張データ処理部１３側に端子を切り換えてオーディオ信号をこの拡張データ処理部１３に供給する。また、スイッチ１８は、再生時において通常エリア内のオーディオデータ出力する場合には、ＤＶデータ処理部１２側に端子を切り換えてこのＤＶデータ処理部１２から出力されるオーディオ信号をオーディオ入出力端子から送出する。また、スイッチ１８は、再生時において拡張エリア内のオーディオデータを出力する場合には、拡張データ処理部１３側に端子を切り換えてこの拡張データ処理部１３から出力されるオーディオ信号をオーディオ入出力端子から送出する。
【００４６】
書込／読出部１４は、磁気ヘッドの切り換え制御、回転ドラムの回路制御、８ｍｍテープＴ２の走行速度の制御等を行って、通常エリア及び拡張エリアへの、ＤＶデータ及び拡張データの書き込み及び読み出しを行う。
【００４７】
図７のメインコントローラ１５は、ＤＶデータ処理部１２の制御、拡張データ処理部１３の制御、書込／読出部１４の制御、ＤＶデータ処理部１２及び拡張データ処理部１３に供給する付加情報の生成、８ｍｍテープ１から読み出した付加情報の処理等を行う。また、メインコントローラ１５は、スイッチ１８の切り換え制御も行う。
【００４８】
図８は、上記書込／読出部１４のブロック構成の一例を示す。
書込／読出部１４は、回転ドラム装置４０と、回転ドラム装置４０に設けられた第１の磁気ヘッド４１及び第２の磁気ヘッド４３と、第１の磁気ヘッド４１を駆動する第１の増幅器４３Ａと、第２の磁気ヘッド４３を駆動する第２の増幅器４４と、記録するＤＶデータ及び拡張データの合成及び分離をするデータ合成／分離部４５と、８ｍｍテープＴ２を走行させるテープ走行系４６と、回転ドラム装置４０を駆動するドラム駆動系４７と、制御部４８とを備えている。
【００４９】
回転ドラム装置４０には、８ｍｍテープＴ２がヘリカルスキャン方式で巻き付けられている。また、この回転ドラム装置４０には、第１の磁気ヘッド４１及び第２の磁気ヘッド４３が、回転中心を挟んで１８０°対向する位置に設けられている。
【００５０】
この第１の磁気ヘッド４１及び第２の磁気ヘッド４２は、回転ドラム装置４０の回転ドラム２００が回転駆動することによって、長手方向に対して４．８９９９°の角度で８ｍｍテープＴ２上を走行し、信号の記録及び再生をする。第１の磁気ヘッド４１及び第２の磁気ヘッド４３は、回転ドラム２００の回転位置に応じて切り換えられて、信号の記録又は再生が行われる。この切り換えは、制御部４８が生成するスイッチングパルスＳＷＰに同期して行われる。
制御部４８は、回転ドラム２００の回転位相を示すＰＧ信号に基づき、回転ドラム装置４０が１８０°回転する毎にハイ／ローが切り換えられるスイッチングパルスＳＷＰを発生する。例えば、スイッチングパルスＳＷＰがＨｉの期間は第１の磁気ヘッド４１に切り換えられて信号の記録又は再生が行われ、スイッチングパルスＳＷＰがＬｏｗの期間は第２の磁気ヘッド４３に切り換えられて信号の記録又は再生が行われる。
【００５１】
テープ走行系４６は、通常の記録及び再生時において、８ｍｍテープＴ２を一定速度で走行させる。
【００５２】
ドラム駆動系４７は、通常の記録及び再生時に、回転ドラム装置４０を一定のたとえば回転速度（４５００ｒｐｍ）で回転駆動する。
【００５３】
図８の制御部４８は、再生時において回転ドラム装置４０の回転ドラム２００の回転位相を制御して、第１の磁気ヘッド４１及び第２の磁気ヘッド４３のトラッキング制御をする。回転ドラム２００の回転位相の制御は、データ合成／分離部４５により検出されるＡＴＦパイロット信号に応じて行われる。すなわち、各トラックに記録されているデータには、ＡＴＦパイロット信号が重畳されている。制御部４８は、周波数ｆ０が記録されたトラックを第１の磁気ヘッド４１（或いは第２の磁気ヘッド４３の一方）が走査するとき、隣接トラックからｆ１，ｆ２のパイロット成分をクロストーク信号として検出し、隣接したトラックからのパイロット信号が等しくなるようにトラッキングをかける。
【００５４】
また、制御部４８は、再生時或いは上書き記録時において、ＩＴＩやＥＸ−ＩＴＩを検出してトラック内の磁気ヘッドの記録位置或いは再生位置の制御をする。例えば、オーディオデータのみの書き換え、ビデオデータのみの書き換え、サブコードのみの書き換え、又は、拡張データのみの書き換えの場合、磁気ヘッドが１つのトラック内の所定の位置と成ったときにデータの上書きを開始し、その他の部分のデータ上には新たなデータを書き込まないように制御を行う。具体的には、制御部４８は、通常エリアのオーディオデータや通常エリアのビデオデータの書き換えを行う場合には、通常エリアのトラックの先頭に記録されているＩＴＩを検出してクロックを生成し、回転ドラム装置４０、第１の磁気ヘッド４１、第２の磁気ヘッド４３の書き込み制御を行う。また、拡張エリアの拡張データや拡張エリアのサブコード等の書き換えを行う場合には、拡張エリアの先頭に記録されているＥＸ−ＩＴＩを検出してクロックを生成し、回転ドラム装置４０、第１の磁気ヘッド４１、第２の磁気ヘッド４３の書き込み制御を行う。
【００５５】
図８のデータ合成／分離部４５には、記録時に、ＤＶデータ処理部１２からＤＶデータが供給され、拡張データ処理部１３から拡張データが供給される。このデータ合成／分離部４５は、記録時に、ＤＶデータをＤＶ方式における２トラックずつに分離するとともに、この分離したＤＶデータと拡張データの１トラック分のデータとを合成する処理を行い、このデジタル８ｍｍ方式における１トラック分のデータを形成する。そして、データ合成／分離部４５は、スイッチングパルスＳＷＰに応じて、記録する磁気ヘッド４１，４３を切り換え、切り換えた磁気ヘッドに１トラック分のデータを供給する。
【００５６】
データ合成／分離部４５には、再生時に、第１の磁気ヘッド４１及び第２の磁気ヘッド４３から、８ｍｍテープＴ２から読み出したデータが供給される。データ合成／分離部４５は、各磁気ヘッド４１，４３から供給された１トラック分のデータを、通常エリアから読み出したＤＶ方式における２トラック分のＤＶデータと、拡張エリアから読み出した拡張データとに分離する。そして、このデータ合成／分離部４５は、スイッチングパルスＳＷＰに応じて、読み出す磁気ヘッドを切り換えながら、分離したＤＶデータをＤＶデータ処理部１２に供給し、分離した拡張データを拡張データ処理部１３に供給する。
【００５７】
ここで、本発明の実施の形態の記録再生装置１０の記録時における磁気ヘッド４１，４３の切換タイミングを説明する。
図９に、本発明の実施の形態の磁気記録再生装置１０の記録時における磁気ヘッド４１，４３の切換タイミング及びＡＴＦパイロット信号の順番の一例を示す。本発明の実施の形態の磁気記録再生装置１０の場合、ドラムの直径は前記４０ｍｍで、ドラム回転数は前記４５００ｒｐｍである。
【００５８】
磁気記録再生装置１０では、ＲＦ信号のクロック周波数（記録レート／１ヘッド）が４１．８５Ｍｂｐｓとなっており、従来のＤＶ方式の記録再生装置と変わらない。第１のサブトラック（ＳｕｂＴｒ＃０）には、従来のＤＶ方式の記録再生装置のオッドトラック（Ｏｃｈ）のデータが記録され、第２のサブトラック（ＳｕｂＴｒ＃１）には、従来のＤＶ方式の記録再生装置のイーブントラック（Ｅｃｈ）のデータが記録される。第１のサブトラック（ＳｕｂＴｒ＃０）と第２のサブトラック（ＳｕｂＴｒ＃１）との間には、巻付角の３度分毎に相当する期間が形成され、第１のサブトラック（ＳｕｂＴｒ＃０）のデータの開始位置から、次の第１のサブトラック（ＳｕｂＴｒ＃０）のデータの開始位置までの回転角が１８０°となる。図１４に示すように、回転ドラム装置４０上に配されている２つの磁気ヘッド４１，４２は、サブトラック（ＳｕｂＴｒ＃０）及びサブトラック（ＳｕｂＴｒ＃１）の一組のＲＦ信号からなるチャンネル毎に、スイッチングパルスＳＷＰによって交互に切り換えられる。
【００５９】
すなわち、本発明の実施の形態の記録再生装置１０では、ＤＶ方式におけるオッドトラック（Ｏｃｈ）及びイーブントラック（Ｅｃｈ）の一組のＲＦ信号を、１つのチャンネルとして扱っており、したがって、これら一組のＲＦ信号からなる１つのチャンネルを、ドラムが１８０度回転する毎に１本のトラックとして記録することになる。
【００６０】
また、磁気記録再生装置１０におけるＡＴＦパイロット信号は、それら一組のＲＦ信号からなる１つのチャンネルが交互に配置される各トラックに対して、図３のように・・・ｆ０，ｆ１，ｆ０，ｆ２，ｆ０，ｆ１，・・・のような繰り返しとなるように記録される。上述したようなヘッド切り換え及びＡＴＦパイロット信号の組み換えを行い、トラックパターンを形成している。
【００６１】
以上のように、本発明の実施の形態の磁気記録再生装置１０では、例えば８ｍｍビデオテープＴ２は、ＤＶ方式で用いられる磁気テープＴ１よりもテープ幅が広いが、このテープＴ２にＤＶ方式のデータを記録することができる。それとともに、ＤＶ方式における２トラック分のデータを、そのデータフォーマットを変えずに、１本のトラックに連続して記録することで、テープ面積を有効に使うことができて、より長時間分の記録を可能にしている。逆に、同じ時間分の記録を行うのであれば、幅広テープにＤＶのトラックパターンを１本ずつ記録する場合に比べて、必要なテープ長さを短くすることができ、テープコンサンプションを改善可能となしている。
【００６２】
また、本発明の実施の形態の記録再生装置１０では、例えば既存の８ｍｍテープレコーダのメカデッキに対してドラム回転数を変えるだけの簡単な変更と、ＤＶの信号系のスイッチングパルスとＡＴＦパイロット信号の組み換えだけの少ない変更により、ＤＶフォーマットの信号を８ｍｍビデオテープに記録できるため、従来のビデオテープの生産設備や部品等の資源を有効に利用できる。
【００６３】
上述した磁気記録再生装置（磁気記録装置とも言う）は、図３に示すような回転ドラム装置４０を備えているが、この回転ドラム装置４０は、回転ドラム２００と固定ドラム３００を備えている。回転ドラム２００は上ドラムと呼ばれており、固定ドラム３００は下ドラムとも呼ばれている。
回転ドラム２００は、ドラム駆動系４７により、固定ドラム３００に対して図３におけるＲ方向に回転するようになっている。
【００６４】
図１０は、回転ドラム装置４０の回転ドラム２００と固定ドラム３００の一部分を断面にして示している。回転ドラム２００の下面側には、磁気ヘッド４１，４３が１８０°反対位置に設けられている。しかも回転ドラム２００は図４（Ｂ）に示すように消去用のイレーサブルヘッド４００を有している。
【００６５】
図３に示すように回転ドラム２００の外周囲面（外周円筒面）において、複数本の溝５００が形成されている。図９ではこの溝５００を有する領域の断面部分を示しており、溝５００の幅はＷで示している。各溝５００の幅Ｗは同じに設定されているが、回転ドラム２００の外周囲面２００Ａの周囲には回転方向に沿って好ましくは３本の溝５００が平行にかつ等間隔をおいて形成されている。
【００６６】
磁気ヘッド４１，４３は回転ドラム装置４０の下部にあってかつ取り付け窓部分２００Ｂの部分に固定されている。この磁気ヘッド４１，４３の突き出し量は、Ｔで示している。回転ドラム２００の外周囲面２００Ａと磁気テープＴ２の間には、エアーフィルムＡＦが形成される。このエアーフィルムＡＦの量を適度に制限することで、磁気ヘッド４１，４３におけるＲＦ出力波形が確保でき、かつ磁気テープＴ２の安定した走行を確保するために、上述した溝５００の幅Ｗの値と、磁気ヘッド４１，４３の突き出し量Ｔの値を規定している。
すなわち図３の回転ドラム装置４０が、磁気テープＴ２に対して例えば１８００ｒｐｍの回転ドラム２００の回転数により磁気ヘッドが磁気テープＴ２に対してアナログ記録する場合と、例えば４５００ｒｐｍにより、磁気ヘッドが磁気テープＴ２に対して図３に示すようなデジタル記録をする場合の双方の場合における適度な性能を確保するためには、次のようにして溝５００の幅Ｗと磁気ヘッドの突き出し量Ｔを規定する。
【００６７】
回転ドラム２００の溝５００の幅Ｗ：０．２１ｍｍ±０．０２ｍｍ
磁気ヘッド４１，４３の突き出し量Ｔ：２０μｍ±３μｍである。
もし溝５００の幅Ｗが０．１９ｍｍよりも小さいと、デジタル記録フォーマットに対応した記録データを記録する際に、適度なエアーフィルム量に制限することができなくなり、ＲＦ出力波形の確保が難しくなりテープの安定した走行ができなくなる。使用環境が制限される。つまり、常温では差があまりないが、夏等の外気温度が３０℃以上ある場合等は磁気テープの腰が弱くなりＲＦ出力波形に影響する。またヘッド突き出し量を大きくすれば、ＲＦ出力波形が得られるが摩耗の問題がある。
また溝５００の幅Ｗが０．２３ｍｍよりも大きいと、比較的低速回転のアナログ記録の場合に適度なエアーフィルム量を確保できず磁気テープが回転ドラムに密着しやすくＲＦ出力波形が確保できず磁気テープの安定した走行ができなくなる。エアーフィルム量が少なすぎると、ドラム回転及びテープ走行に影響をおよぼし、ワウ・フラッターの悪化要因となる。ヘッドとテープの接触圧が大きくなり、テープ面にキズ（スキャンキズ）が付きやすくなる。
さらに好ましくは磁気ヘッドの突き出し量Ｔが１７μｍよりも小さいと、ＲＦ出力波形の確保がしにくい。初期状態では問題ないが、使用時間が短縮される。溝幅と重複するが環境にも左右されやすい。
磁気ヘッドの突き出し量Ｔが２３μｍよりも大きいと、ＲＦ出力波形は確保できるがインパクトエラーが生じたり、ヘッド寿命が短かくなり不利になる。ワウ・フラッターの悪化要因となる。
【００６８】
図１０に示すエアーフィルムＡＦの量は、図１５に示すように回転ドラム２００の入口側２００Ｉにおけるエアーフィルムの量を指している。出口側２００Ｊ側のエアーフィルムＡＦ１は、入口側のエアーフィルムＡＦよりも小さくなるのが普通である。従って入口側のエアーフィルムＡＦの量を図１０のように適切にして、ＲＦ出力の波形を適切にし、磁気テープＴ２の走行安定性を確保する必要がある。
【００６９】
図１１は、図１０における入口側２００Ｉにおける磁気ヘッドのＲＦ出力波形の比較を示している。図１１におけるグラフで、横軸には、図９の溝の幅Ｗの数値例を示しており、縦軸にはＲＦ出力波形の大きさを示している。図１１における空白の棒グラフは回転ドラム２００が１８００ｒｐｍで回転する場合であり、ハッチングの入った棒グラフは回転ドラム２００が４５００ｒｐｍで回転する場合を示している。
図１１（Ａ）に示すのは従来例であり、溝の幅がかなり小さい場合である。この場合には、１８００ｒｐｍにおけるＲＦ出力波形は比較的大きいが、４５００ｒｐｍにおけるＲＦ出力波形は最大出力の６０％程度であるので良くない。図１１（Ｂ）の場合は、比較例である溝幅Ｗが０．１４ｍｍの場合であり、１８００ｒｐｍにおけるＲＦ出力波形はほぼ最大出力１００％に近いものであるが、４５００ｒｐｍにおけるＲＦ出力波形は８０％程度と低い。図１１（Ｃ）においては、１８００ｒｐｍにおけるＲＦ出力波形は１００％に近いが、やはり４５００ｒｐｍにおけるＲＦ出力波形が９０％程度である。
これに対して図１１（Ｄ）は、好ましい実施例を示しており、溝幅Ｗが０．２１ｍｍの場合であり、１８００ｒｐｍと４５００ｒｐｍの両方におけるＲＦ出力波形が最大出力である１００％に近いものになっている。
【００７０】
図１２は、図９における磁気ヘッドの突き出し量Ｔに対する磁気ヘッドのＲＦ出力波形の比較を示している。このＲＦ出力波形は、図１５の入口側２００Ｉにおける値である。図１２における空白の棒グラフは、溝の幅Ｗが０．１８ｍｍの場合であり、ハッチングの入った棒グラフは溝幅Ｗが０．２１ｍｍの場合である。
図１２（Ａ）は、好ましい実施例を示し、突き出し量Ｔが２０μｍであるので、０．１８ｍｍ及び０．２１ｍｍの溝幅Ｗのいずれにおいても、ＲＦ出力波形はほぼ１００％に近い値を発揮することができる。
これに対して、図１２（Ｂ）は、比較例であり、突き出し量Ｔが１３μｍであるので、０．１８ｍｍと０．２１ｍｍのいずれの場合においても、ＲＦ出力波形が低下している。図１２（Ｃ）は、比較例であり、突き出し量Ｔが１０μｍであるので、Ｗが０．１８ｍｍの場合には極端にＲＦ出力波形が低下し、０．２１ｍｍであってもＲＦ出力波形はかなり低くなる。
【００７１】
図１３は、本発明の実施の形態における溝５００の幅が０．２１ｍｍの場合のエアーフィルム量（μｍ）の測定例を示している。実線のグラフは、回転ドラム２００が１８００ｒｐｍで回転する場合であり、破線のグラフは回転ドラム２００が４５００ｒｐｍで回転する場合である。
【００７２】
図１４は、比較例として従来の８ｍｍビデオテープレコーダの溝幅におけるエアーフィルム量（μｍ）を比較例として示している。
図１３のＰ１と、図１４の従来のグラフＥ１を比べて見ると、図１０の入口側２００Ｉにおけるエアーフィルムの量がグラフＰ１ではかなり低下しているが、これに対して従来の図１４でエアーフィルム量はグラフＥ１で示すようにかなり大きくなっており、グラフＥ２においてもエアーフィルム量は大きくなっている。
【００７３】
本発明の実施の形態における図１３のグラフＰ１とＰ２は、図１４の従来のグラフＥ１，Ｅ２に比べるとかなり低くできるとともに、しかも両者のエアーフィルム量は適切な値である。
つまり図１３に示すように図９の回転ドラム２００が１８００ｒｐｍで回転して、磁気テープＴ２に対してアナログ信号を記録／再生する場合のＲＦ出力波形を確保し、かつ磁気テープＴ２の走行安定性を確保し、しかも回転ドラム２００が４５００ｒｐｍで高速回転してＤＶ記録した場合であっても、デジタル信号を磁気テープＴ２に記録／再生する場合のＲＦ出力波形と磁気テープＴ２の走行安定性を確保している。
【００７４】
磁気記録再生装置では、ＲＦ出力波形は需要な要素である。本発明は、８ｍｍフォーマットの性能を確保し、且つＤＶ信号記録を有する上ドラム回転方式装置において、適度な性能を確保する為に回転上ドラムの溝及びビデオヘッド突き出しを規定するものである。
【００７５】
上述した上ドラム回転方式の磁気記録装置では、記録／再生時、ドラム回転により発生するエアーフィルム量が大きく影響する。１台のビデオテープレコーダを用いるだけで、８ｍｍフォーマット（ドラム回転１８００ｒｐｍ）の性能を確保し、且つＤＶ信号記録／再生として、ドラム回転数を４５００ｒｐｍに可変できる装置を考えた場合、回転ドラムの溝の溝数を３本として、溝幅０．２１ｍｍにする事より、１８００／４５００ｒｐｍ双方に応じた適度なエアーフィルム量に制限する事で、ＲＦ出力波形が確保できるばかりでなく、テープの安定した走行も可能になった。
回転ドラムの溝に付随して、ビデオヘッド突き出しも性能に大きく起因する。本発明の実施例の１つとしては、溝数３本、溝幅０．２１ｍｍ、ドラム回転数１８００／４５００ｒｐｍでの性能を満足させる突き出し量として、回転ドラムの外周囲面より２０μｍとした。
【００７６】
【発明の効果】
以上説明したように、本発明によれば、いわゆるＤＶ方式であってもアナログビデオテープレコーダの方式であっても適度なＲＦ出力波形を得て、テープ走行を安定させることができる。
【図面の簡単な説明】
【図１】ＤＶ方式のデジタル信号を、ＤＶ方式で用いるテープ幅６．３５ｍｍの磁気テープに記録したときのトラックパターンを示す図である。
【図２】各トラックのデータに重畳されるパイロット信号のスペクトラムを示す図である。
【図３】ビデオデータ及びオーディオデータ等を磁気テープに記録する為の本発明を適用した記録方式のデジタル信号を、テープ幅が８ｍｍの磁気テープ上に記録したときのトラックパターンを示す図である。
【図４】本発明を適用した記録方式における回転ドラムへのテープ巻付角等を説明する為の図である。
【図５】本発明を適用した記録方式における１トラック内の有効ラップ角を説明する為の図である。
【図６】上記本発明を適用した記録方式におけるテープ上のトラックパターンの例を説明する為の図である。
【図７】本発明の実施の形態の磁気記録再生装置のブロック構成図である。
【図８】本発明の実施の形態の磁気記録再生装置の書込／読出部のブロック構成例を示す図である。
【図９】本発明の実施の形態の磁気記録再生装置の記録時における磁気ヘッドの切換タイミング及びＡＴＦパイロット信号の順番を説明する為の図である。
【図１０】回転ドラム装置の重要な部分を示す断面図。
【図１１】回転ドラムの溝の幅とＲＦ出力波形の関係を示す図。
【図１２】磁気ヘッドの突き出し量とＲＦ出力波形の関係例を示す図。
【図１３】本発明の実施の形態におけるエアーフィルム量の測定例を示す図。
【図１４】従来の８ｍｍのビデオにおけるエアーフィルム量の例を比較例として示す図。
【図１５】回転ドラムの入口側と出口側におけるエアーフィルムの形成例を示す図。
【符号の説明】
４０・・・回転ドラム装置、４１，４３・・・磁気ヘッド、２００・・・回転ドラム、３００・・・固定ドラム、５００・・・溝、ＡＦ・・・エアーフィルム、Ｔ・・・磁気ヘッドの突き出し量、Ｔ１・・・第１磁気テープ（デジタルビデオテープ６．３５ｍｍ幅のテープ）、Ｔ２・・・第２磁気テープ（８ｍｍ幅のテープ）、Ｗ・・・溝の幅
【図１】
0004178620.tif 000002
【図２】
0004178620.tif 000003
【図３】
0004178620.tif 000004
【図４】
0004178620.tif 000005
【図５】
0004178620.tif 000006
【図６】
0004178620.tif 000007
【図７】
0004178620.tif 000008
【図８】
0004178620.tif 000009
【図９】
0004178620.tif 000010
【図１０】
0004178620.tif 000011
【図１１】
0004178620.tif 000012
【図１２】
0004178620.tif 000013
【図１３】
0004178620.tif 000014
【図１４】
0004178620.tif 000015
【図１５】
0004178620.tif 000016